(57)【特許請求の範囲】
【請求項１】
磁気テープを巻装した単一のリールを回転可能に収容するカートリッジケースを備え、前記磁気テープの先端に該磁気テープを引き出すためのリーダピンが固着され、該リーダピンの両端部が前記カートリッジケース開口部内に着脱可能にロック部材によって固定保持され、前記開口部を開閉するスライドドアが設置されてなる磁気テープカートリッジにおいて、
前記スライドドアの内面に、該スライドドアの閉状態において前記リーダピンのロック部材による保持状態からの離脱移動を阻止する突起を設け、該突起の突出面と前記リーダピンとの間隙が、該リーダピンの開口部方向における前記ロック部材との接触点と中心との距離以下に設定されていることを特徴とする磁気テープカートリッジ。
【請求項２】
前記スライドドアの突起は、前記ロック部材と干渉しない位置に設けたことを特徴とする請求項１に記載の磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容し、この磁気テープの先端に該磁気テープを引き出すためのリーダピンを固着してなる磁気テープカートリッジにおいて、上記リーダピンを格納係止する開口部分の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダ部材（本発明ではリーダピン）が固着され、このリーダ部材を記録再生装置側で引き出して巻き取り又は巻き戻しを行うようにドライブ装置が構成される。そして、上記リーダピンはカートリッジケースのスライドドアによって開閉される開口部から内部に着脱可能に係止されるもので、このリーダピンの両端部を固定保持するロック部材を配設して、所定状態への格納を確実に行うことが好適である。
【０００４】
【発明が解決しようとする課題】
しかして、上記のような磁気テープカートリッジにおいては、前記ロック部材によるリーダピンの格納位置への保持を確実に行って信頼性を高める必要がある。
【０００５】
つまり、前記ロック部材は、カートリッジから引き出されていた磁気テープをリールに巻き取り、先端リーダピンを開口部内に格納する際に、このリーダピンに当接して変形又は変位しリーダピンが所定格納位置に移動した状態で係合付勢し、この位置に固定保持するように設けられる。このリーダピンの格納状態すなわち磁気テープカートリッジの保管又は搬送状態において、カートリッジの落下等により衝撃が作用した際にリーダピンが開口部側に移動する力を受けると同時にロック部材が変形又は変位し、さらに、磁気テープの巻き取りも緩んでいると、上記ロック部材による格納位置への保持が外れてリーダピンが格納位置から離脱移動するか、傾いた状態となる可能性がある。そして、このようにリーダピンが移動すると、これを格納位置に戻す力は作用しないので保持が外れた状態が継続され、次に磁気テープカートリッジを記録再生装置に装填して使用する際に、スライドドアを開いてリーダピンを係合保持し記録再生装置側に引き出そうとしたときに、記録装置側に正常に保持されずに動作不良が発生して使用上の信頼性を損なう恐れがある。
【０００６】
本発明は上記点に鑑みなされたもので、ロック部材によるリーダピンの格納位置への保持を確保するようにした磁気テープカートリッジを提供せんとするものである。
【０００７】
【課題を解決するための手段】
上記課題を解決した本発明の磁気テープカートリッジは、磁気テープを巻装した単一のリールを回転可能に収容するカートリッジケースを備え、前記磁気テープの先端に該磁気テープを引き出すためのリーダピンが固着され、該リーダピンの両端部が前記カートリッジケース開口部内に着脱可能にロック部材によって固定保持され、前記開口部を開閉するスライドドアが設置されてなり、前記スライドドアの内面に、該スライドドアの閉状態において前記リーダピンのロック部材による保持状態からの離脱移動を阻止する突起を設け、該突起の突出面と前記リーダピンとの間隙が、該リーダピンの開口部方向における前記ロック部材との接触点と中心との距離以下に設定されていることを特徴とするものである。
【０００８】
また、前記スライドドアの突起は、前記ロック部材と干渉しない位置に設けるのが好適である。
【０００９】
【発明の効果】
上記のような本発明によれば、磁気テープを巻装した単一のリールを回転可能にカートリッジケースに収容し、磁気テープの先端に固着したリーダピンの両端部をスライドドアによって開閉されるカートリッジケースの開口部内にロック部材によって着脱可能に固定保持するについて、前記スライドドアの内面にロック部材による保持状態からのリーダピンの離脱移動を阻止する突起を設けたことにより、スライドドアが閉じている保管又は搬送状態において落下等に伴う衝撃が作用してリーダピンが格納位置から外れる方向の力を受けても、このリーダピンの移動が前記スライドドアの突起によって阻止され離脱状態となることが未然に防止でき、使用時における記録装置側からのリーダピンの保持が確実に行え信頼性を高めることができる。
【００１０】
また、スライドドアの突起をロック部材と干渉しない位置に設けたものでは、スライドドアの開閉動作が確保できると共にロック部材の良好な保持機能が得られる。
【００１１】
【発明の実施の形態】
以下、図面に示す実施の形態に基づいて本発明を詳細に説明する。図１は一つの実施の形態の磁気テープカートリッジの分解斜視図である。
【００１２】
磁気テープカートリッジ１は、下リール５と上リール６とを超音波溶着により結合した単一のリール４に磁気テープ２０を巻装し、上ケース２と下ケース３とがビス等により締結されてなるカートリッジケース７内に、上記リール４を回動可能に収容して構成されている。
【００１３】
下リール５は外周に磁気テープ２０が巻回される円筒状のリールハブ２３と、リールハブ２３の下端外周から径方向に張り出したフランジ部２４とを合成樹脂により一体成型したもので、リールハブ２３の底部外面にリール４を回転駆動するマグネット式の回転駆動手段を吸引保持させるためのリールプレート８が取り付けられる。またリールハブ２３の底部内面には、ブレーキボタン９に形成された制止用ギア９Ａと係合して不使用時の回転を拘束する制止用ギア２３Ａが刻設されている。また、リールハブ２３には、磁気テープカートリッジ１を使用する外部記憶装置等の記録再生装置に設けられたドライブ解除スピンドルが挿通されてブレーキボタン９を上方へ移動させるための開口２３Ｂが形成されている。
【００１４】
ブレーキボタン９は、リールハブ２３と対向する側に上述した制止用ギア９Ａが形成されており、それとは反対側に上ケース２に形成されたブレーキガイド突起が嵌合される嵌合溝９Ｂが形成されている。そして、ブレーキボタン９はコイルバネ１０により図中下方に付勢された状態でリールハブ２３内部に装着されており、ブレーキボタン９とリールハブ２３との制止用ギア９Ａ，２３Ａが噛み合ってリール４の不使用時における回転が防止されている。一方、カートリッジ使用時は、磁気テープ装置のドライブ解除スピンドルがブレーキボタン９を押圧すると、ブレーキボタン９がコイルバネ１０の付勢力に抗して図中上方へ移動し、これにより制止用ギア９Ａ，２３Ａの係合が解除され、リール４が回転自在とされる。
【００１５】
カートリッジケース７の一側壁には、磁気テープ２０を引き出すための開口部２６が形成されている。開口部２６にはカートリッジケース７の側壁に平行な矢印Ａ方向に移動可能なスライドドア２７が取り付けられている。スライドドア２７は不図示のバネにより、開口部２６を閉じる方向に付勢されている。
【００１６】
また、磁気テープカートリッジ１はその不使用時に磁気テープ２０が完全にリール４に巻き込まれた状態で、磁気テープ２０の端部に取り付けられたリーダピン２１が開口部２６の近傍に形成された凹状の格納部２８に係止される。この格納部２８には開口部２６に向けて広がるように形成されたガイド面２８ａ（図３参照）が連設され、奥部の格納部２８に向けてリーダピン２１を案内するように形成されている。
【００１７】
そして、磁気テープカートリッジ１が対応する外部記録装置等の記録再生装置にセットされると、上述したようにブレーキボタン９とリールハブ２３との制止用ギア９Ａ，２３Ａの係止が解除されてリール４が回転自在とされると共に、マグネット式の回転駆動手段がリールプレート８を吸引した状態でリール４を回転駆動する。これと共に、スライドドア２７が開かれてリーダピン２１がテープ走行路の所定位置に引き込まれ、磁気テープ２０へのデータの読み書きが可能となる。
【００１８】
前記リーダピン２１は、磁気テープカートリッジ１を使用する記録再生装置が磁気テープ２０を装置内のテープ走行路に導入するために保持して引き込むものであり、このリーダピン２１を前記格納部２８に着脱可能に保持するバネ部材によるロック部材３０（図２，図３参照）が設置されている。そして、前記スライドドア２７の内面には、閉状態において上記リーダピン２１の前記ロック部材３０による保持状態から開口部２６の方向への離脱移動を阻止する突起２７ａが設けられている（図３，図４参照）。
【００１９】
リーダピン２１は図２に示すように、磁気テープ２０の先端部が固着される中央軸部２１ａの両側に記録再生装置側から係合保持される細軸部２１ｂが形成され、その両端部にケース固定用のフランジ２１ｃが形成されている。この両端のフランジ２１ｃが開口部２６近傍の上下ケース２，３内壁に形成された格納部２８にそれぞれ挿入係止されると共に、上下ケース２，３で挟持された板バネによるロック部材３０によって両フランジ２１ｃが着脱可能に保持される。
【００２０】
前記ロック部材３０は上下対称であり、平面が略Ｕ字形状であり、板状の取付部３０ａがケース壁面に沿って上下ケース２，３の上下面に立設された取付ボス３１，３１によって保持され、上記取付部３０ａの後端から湾曲した上下端部には開口部２６に向けて延びる腕部３０ｂが連設され、この腕部３０ｂの先端部にそれぞれ保持部３０ｃが設けられ、該保持部３０ｃがリーダピン２１のフランジ２１ｃに当接する。上記保持部３０ｃはリーダピン２１側に突出する山形に設けられ、先端側の斜面で開口部２６から挿入移動するリーダピン２１に接触して撓み変形し、内部側の斜面でリーダピン２１を格納部２８内に押圧保持するようになっている。
【００２１】
そして、前記スライドドア２７の内面の上下方向中間部には、該スライドドア２７の閉状態において上記リーダピン２１の中央軸部２１ａに対向する位置に、リーダピン２１の移動を規制する突起２７ａが形成されている。この突起２７ａの突出量は、その突出面とリーダピン２７との間隙が、リーダピン２７のフランジ２１ｃとロック部材３０の保持部３０ｃとの接触点が開口部２６への移動方向におけるリーダピン２７の中心を越えない移動量以下に設定されている。つまり、ロック部材３０によってリーダピン２７を格納部２８に付勢する力が作用する範囲以上にリーダピン２１が格納位置から離脱方向に移動する以前に、前記突起２７ａの突出面がリーダピン２１の表面に当接するように形成されている。
【００２２】
また、前記スライドドア２７の突起２７ａは、前記ロック部材３０の保持部３０ｃとは干渉しないように上下端部位置を避けるように設けられ、スライドドア２７の開閉移動においてこの突起２７ａとロック部材３０の先端部とが接触しないようにしている。また、上記突起２７ａはドア先端方向に延びて形成してもよい。
【００２３】
なお、上記スライドドア２７の先端部には外面側に突出する突起部２７ｂが設けられ、この突起部２７ｂに記録再生装置側の開操作部材が係止して該スライドドア２７の開作動を行うように設けられている。また、このスライドドア２７の上下縁は上下ケース２，３に設けられたガイド溝２９に沿って開閉摺動する。
【００２４】
なお、前記ロック部材３０は前記実施の形態のような板バネによる上下一体型の他、上下で別体に線バネ又は板バネにより形成したものなどに適宜設計変更可能である。
【図面の簡単な説明】
【図１】本発明の一つの実施の形態による磁気テープカートリッジの分解斜視図
【図２】カートリッジケースの開口部近傍の断面図
【図３】上ケースを除去した開口部近傍の一部断面平面図
【図４】スライドドア及びリーダピンの側面図
【符号の説明】
１    磁気テープカートリッジ
２    上ケース
３    下ケース
４    リール
７    カートリッジケース
２０    磁気テープ
２１    リーダピン
２１ａ    中央軸部
２１ｃ    フランジ
２６    開口部
２７    スライドドア
２７ａ    突起
２８    格納部
３０    ロック部材
３０ｂ    腕部
３０ｃ    保持部
【図１】
0003853518.tif 000002
【図２】
0003853518.tif 000003
【図３】
0003853518.tif 000004
【図４】
0003853518.tif 000005